【事件の表示】
　平成４年特許願第１７３４９５号「強誘電性液晶表示装置の駆動方法」拒絶査定に対する審判事件（平成６年１月２８日出願公開、特開平６−１８８５２）について、次のとおり審決する。
【結論】
　本件審判の請求は、成り立たない。
【理由】
１．本願は、平成４年６月３０日の出願であって、その請求項１に係る発明は、願書に添付した明細書及び図面の記載からみて、特許請求の範囲の請求項１に特定された次のとおりのものである。
　「【請求項１】画素がマトリクス状に配置された対向する一対の基板間に強誘電性液晶が挟持され、画素に対応して走査電極と信号電極とアクティブ素子を設け、アクティブマトリクス駆動によって線順次駆動を行う液晶表示装置の駆動方法において、液晶パネルの前後に互いにクロスニコル状態に対向した一対の偏光板を設置し、一方の偏光板をその偏光方向が、電界無印加時の液晶分子の安定状態の１つの光軸と一致するように配置し、連続する２つのフレームについて、第１のフレームでは、所定数の走査電極および／又は信号電極の対応画素毎に極性の異なる電圧を液晶に印加し、第２のフレームでは、第１のフレームとは逆極性の電圧を前記液晶に印加して、前記電圧の波高値を制御することにより階調表示を得ることを特徴とする強誘電性液晶表示装置の駆動方法。」
２．これに対して、原査定の拒絶の理由に引用した特開平３−２４３９１５号公報（以下、第１引用例という）には、「（１）対向する一組の基板、この基板間に配置され電圧無印加時の配向の安定状態が１状態のみであるように配向された強誘電性液晶素子、少なくとも一方の基板に配置され強誘電性液晶素子に画素ごとに電圧を印加して駆動するためのアクティブ素子、および、このアクティブ素子を通して強誘電性液晶素子に電圧を印加する手段を備え、この電圧印加手段は、書込み信号と非表示信号とを一定周期かつ一定期間で交互に印加するものであることを特徴とするアクティブマトリックス型液晶ライトバルブ装置。」（特許請１求の範囲第（１）項）、「この液晶セルにおいては、透明導電膜１１を備えた液晶用ガラス基板１０に、‥‥‥配向膜１３が形成されている。配向膜１３には、焼成後、定法に従いラビング処理を施してある。他方の基板２２上には、ゲート電極１７，ゲート絶縁膜１８，ソース電極２０，ドレイン電極２１及びａ−Ｓ１半導体層１９より成る薄膜トランジスタと、これに接続された表示用電極１６が配置されている。そしてこの上に、‥‥‥液晶用配向膜１４を形成してある。液晶用配向膜１４には、焼成後、常法にてラビング処理を施してある。」（第３頁右上欄第１４行乃至左下欄第１５行）、「ここで、Ｓ１〜Ｓｎは映像信号サンプルホールド回路２６からのソース線、Ｇ１〜Ｇｎは垂直走査回路２７からのゲート線である。液晶セル２５には、Ｅ．Ｍｅｒｃｋ社製強誘電性液晶ＺＬＩ−４１３９を、アイソトロピック（Ｉｓｏｔｒｏｐｉｃ）を示す温度で真空注入し、約１時間かけて室温に戻すことにより配置してある。」（第３頁左下欄第１９行乃至右下欄第５行）、「第５図は、電圧をかけない安定な配向状態におけるＦＬＣと偏光子との関係を示す説明図である。偏光子Ｐと検光子Ａの偏光軸をそれぞれ直交させ、かつ安定状態の分子方向と偏光子Ｐの方向とを一致させると、電圧なし又は負の時に黒状態が得られる。次に正電圧をかけると、その電圧に応じて破線で示す任意の位置まで液晶分子がスムーズに動き、偏光による複屈折を生じて光が透過する。」（第４頁左上欄第４行乃至第１２行）、「第７図は本発明による好ましい駆動波形の一例を示す。すなわち、一定周期でＴＦＴのゲート電圧ＶＧがオンするが、そのタイミングに合せて情報信号電圧Ｖｏｐが接地電圧ＧＮＤ（非表示信号）と＋Ｖｏｐ（書込み信号）の間の電圧を情報量に応じて交互に印加する。この場合、液晶が単安定ＦＬＣなので、接地電位ＧＮＤになった時は元の安定状態つまり偏光板との関係で黒になるため白黒交互駆動となる。白黒交互のため、時間平均でみたパネルの透過率は１／２になるが、前述の様な輝度レベルのディケィは生じない。」（第５頁左上欄第７行乃至第２０行）、及び「さらに、本発明に基づく好ましい駆動波形の例を第９図に示す。実施例１と異なるのは、第９図に示すＶｏｐがマイナス側にも振れている事であって、これは通常のＴＦＴ／ＴＮ方式の駆動波形と全く同じである。よって電源はプラスとマイナスの２系統必要とするが、ＴＦＴ／ＴＮ方式との互換性を取る意味では有効な方法である。本例でも前例と同じく輝度のディケィはみられない。」（第５頁左下欄第１８行乃至右下欄第６行）との記載が有り、表２には、ｔ（０）〜ｔ（Ｆ／２）は、奇数走査線用信号として＋Ｖｏｐを用い、偶数走査線用信号としてＧＮＤを用い、ｔ（Ｆ／２）〜ｔ（Ｆ）は、奇数走査線用信号としてＧＮＤを用い、偶数走査線用信号として＋Ｖｏｐを用い、以下、Ｆ／２時間ごとに奇数走査線用信号と偶数走査線用信号とを逆にすることが開示され、結局、画素がマトリクス状に配置された対向する一対の基板１０，２２間に強誘電性液晶が挟持され、画素に対応してゲート電極１７とソース電極２０とａ−Ｓｉ半導体層１９より成る薄膜トランジスタを設け、アクティブマトリクス駆動によって線順次駆動を行う液晶表示装置の駆動方法において、液晶パネルの前後に互いにクロスニコル状態に対向した一対の偏光子Ｐ、検光子Ａを設置し、偏光子Ｐをその偏光方向が、電界無印加時の液晶分子の安定状態の１つの光軸と一致するように配置し、連続する２つのＦ／２期間について、第１のＦ／２期間では、奇数走査線の対応画素毎に＋Ｖｏｐを、偶数走査線の対応画素毎に−Ｖｏｐを、液晶に印加し、第２のＦ／２期間では、第１のＦ／２期間とは逆極性の電圧を前記液晶に印加して、前記電圧の波高値を制御することにより階調表示を得ることを特徴とする強誘電性液晶表示装置の駆動方法、が記載されている。
　同じく引用した特開昭６４−３１１２９号公報（以下、第２引用例という）には、「本発明の目的は、従来の問題点である表示のちらつきを解消した表示パネルの駆動装置を提供することにある。」（第３頁左下欄第１９行乃至右下欄第１行）、及び「第１図は、本発明で用いた駆動波形例である。第１図には奇数フレームＦ２Ｍ−１と偶数フレームＦ２Ｍ（Ｍ＝１，２，３，…）における奇数番目の走査電極に印加する走査選択信号Ｓ２ｎ−１（ｎ＝１，２，３，…）と、偶数番目の走査電極に印加する走査選択信号Ｓ２ｎが示されている。第１図によれば走査選択信号Ｓ２ｎ−１は、奇数フレームＦ２Ｍ−１と偶数フレームＦ２Ｍ（Ｍ＝１，２，３，…）の同位相における電圧極性（走査非選択信号の電圧を基準にした電圧極性）が互いに逆極性となっており、走査選択信号Ｓ２ｎも同様である。さらに、１フレーム期間内で印加された走査選択信号Ｓ２ｎ−１とＳ２ｎは、互いに相違した電圧波形となっており、同位相の電圧極性が互いに逆極性となっている。」（第３頁右下欄第１５行乃至第４頁左上欄第８行）との記載がある。
３．そこで、本願請求項１に係る発明と第１引用例記載のものとを対比すると、本願請求項１に係る発明の「基板」、「走査電極」、「信号電極」、「アクティブ素子」、「一対の偏光板」、「一方の偏光板」は、夫々第１引用例記載のものの「基板１０，２２」、「ゲート電極１７」、「ソース電極２０」、「ａ−Ｓｉ半導体層１９より成る薄膜トランジスタ」、「偏光子Ｐ、検光子Ａ」、「偏光子Ｐ」に相当するから、両者は、画素がマトリクス状に配置された対向する一対の基板間に強誘電性液晶が挟持され、画素に対応して走査電極と信号電極とアクティブ素子を設け、アクティブマトリクス駆動によって線順次駆動を行う液晶表示装置の駆動方法において、液晶パネルの前後に互いにクロスニコル状態に対向した一対の偏光板を設置し、一方の偏光板をその偏光方向が、電界無印加時の液晶分子の安定状態の１つの光軸と一致するように配置し、連続する２つの期間について、第１の期間では、走査電極の対応画素毎に極性の異なる電圧を液晶に印加し、第２の期間では、第１の期間とは逆極性の電圧を前記液晶に印加して、前記電圧の波高値を制御することにより階調表示を得ることを特徴とする強誘電性液晶表示装置の駆動方法、の点で一致し、（１）期間が、本願請求項１に係る発明は、フレームであるのに対して、第１引用例記載のものは、Ｆ／２期間である点で相違する。
４．そこで、相違点（１）について検討すると、奇数フレームＦ２Ｍ−１と偶数フレームＦ２Ｍとの同位相における電圧極性を互いに逆極性とすることは、第２引用例に記載されている。
　そして、両引用例とも同一技術分野に属するものであるから、第１引用例記載のもののＦ／２期間に換えて第２引用例記載のフレームを用いて、本願請求項１に係る発明を推考することは、当業者が容易に為し得たものと認められる。
５．したがって、本願請求項１に係る発明は、第１引用例及び第２引用例に基づいて当業者が容易に発明をすることができたものと認められるので、本願請求項１に係る発明は、特許法第２９条第２項の規定により特許を受けることができない。
　よって、結論のとおり審決する。